(57)【特許請求の範囲】
【請求項１】
エレベータかご内に配備されたインターホン子機からＢＧＭを流すエレベータかご内ＢＧＭ装置であって、
インターホンを制御するインターホン制御器と、
音楽データを一旦記憶する楽曲記憶部と、
上記インターホン子機に電源を供給するバッテリと、
を備え、
上記インターホン制御器は、
基準時点を特定する基準時点特定手段と、
上記基準時点での上記バッテリの充電量を基準として上記バッテリの充電量を算出する充電量算出手段と、
エレベータの運行データを取得し、取得したエレベータの運行データからエレベータが運行されていることが分かるとき上記インターホン子機のスピーカーを駆動して、上記充電量算出手段により算出された上記充電量に応じた所定の音量で音楽を流すとともに、上記充電量算出手段により算出された上記充電量が、上記インターホン子機を利用して緊急連絡を行うために支障のない充電量としてあらかじめ設定された下限充電量以下となった場合には、上記音楽を流さないようにする音楽鳴動手段と、
を有することを特徴とするエレベータかご内ＢＧＭ装置。
【発明の詳細な説明】
【技術分野】
【０００１】
この発明は、エレベータの乗客の気分を和らげるためのエレベータかご内ＢＧＭ装置に関するものである。
【背景技術】
【０００２】
緊急連絡用のインターホンを用いて、エレベータかご内に配備されたインターホン子機のスピーカーからバックグランドミュージック（以下、ＢＧＭと称す）を放送して、乗客の気分を和らげている（例えば、特許文献１参照）。
【先行技術文献】
【特許文献】
【０００３】
【特許文献１】特開平０６−１３５６４９号公報
【発明の概要】
【発明が解決しようとする課題】
【０００４】
ところで、インターホン子機はバッテリから電源が供給されている。そのバッテリでは過充電を避けるために充電電流を少なくしているので、長い間ＢＧＭを流し続けるとバッテリに蓄えられている電力量が少なくなり、停電時にインターホンが使用出来なくなるという問題がある。
【０００５】
この発明は、前記のような課題を解決するためになされたものであり、緊急時にはインターホンとしての本来の機能を確保しつつ、普段はＢＧＭを流すエレベータかご内ＢＧＭ装置を得ることを目的とする。
【課題を解決するための手段】
【０００６】
この発明に係るエレベータかご内ＢＧＭ装置は、エレベータかご内に配備されたインターホン子機からＢＧＭを流すエレベータかご内ＢＧＭ装置であって、インターホンを制御するインターホン制御器と、音楽データを一旦記憶する楽曲記憶部と、上記インターホン子機に電源を供給するバッテリと、を備え、上記インターホン制御器は、基準時点を特定する基準時点特定手段と、上記基準時点での上記バッテリの充電量を基準として上記バッテリの充電量を算出する充電量算出手段と、エレベータの運行データを取得し、取得したエレベータの運行データからエレベータが運行されていることが分かるとき上記インターホン子機のスピーカーを駆動して、上記充電量算出手段により算出された上記充電量に応じた所定の音量で音楽を流すとともに、上記充電量算出手段により算出された上記充電量が、上記インターホン子機を利用して緊急連絡を行うために支障のない充電量としてあらかじめ設定された下限充電量以下となった場合には、上記音楽を流さないようにする音楽鳴動手段と、を有する。
【発明の効果】
【０００７】
この発明に係るエレベータかご内ＢＧＭ装置は、バッテリの充電量に従ってＢＧＭの音量を調整することにより、バッテリには緊急連絡を行うときに必要な電力が蓄えられているので、バッテリが放電されてしまっていて緊急連絡が出来ないということが防げる。
【図面の簡単な説明】
【０００８】
【図１】この発明の実施の形態に係るエレベータかご内ＢＧＭ装置の構成を示すブロック図である。
【図２】この発明の実施の形態に係るインターホン制御部の機能ブロック図である。
【図３】基準時点からの充電量の変化を示す図である。
【図４】商用電源が停電したときの充電量の変化を示す図である。
【発明を実施するための形態】
【０００９】
以下、本発明のエレベータかご内ＢＧＭ装置の好適な実施の形態につき図面を用いて説明する。
図１は、この発明の実施の形態に係るエレベータかご内ＢＧＭ装置の構成を示すブロック図である。図２は、この発明の実施の形態に係るインターホン制御部の機能ブロック図である。
この発明の実施の形態に係るエレベータかご内ＢＧＭ装置１は、エレベータのかご２内に配備されたインターホン子機３、インターホン子機３を制御する監視装置４、監視装置４と通信網５を介して接続されるとともに遠隔監視センター６に置かれる楽曲サーバ７を備える。
インターホン子機３は、かご内操作盤８内に配置されており、遠隔監視センター６に配備されるインターホン親機９を呼び出すための呼出釦１１、マイクロホン１２、スピーカー１３を備える。
【００１０】
監視装置４は、インターホンを制御するインターホン制御部１５、楽曲データを一旦記憶する楽曲記憶部１６、インターホン子機３および監視装置４に電源を供給するバッテリ１７を備える。
インターホン制御部１５は、ＣＰＵ、ＲＯＭ、ＲＡＭおよびインターフェース回路を有するコンピュータから構成されている。そして、インターホン制御部１５は、例えば真夜中のようにエレベータの運行が殆ど休止していた時間帯を検出して基準時点を特定する基準時点特定手段２１、基準時点でのバッテリ１７の充電量を基準としてバッテリ１７の充電量を算出する充電量算出手段２２と、エレベータ制御部２３からエレベータの運行データを取得し、取得したエレベータの運行データからエレベータが運行されていることが分かるとき楽曲サーバ７から取り寄せた楽曲データを一旦楽曲記憶部１６に記憶するとともにインターホン子機３のスピーカー１３を駆動して所定の音量で楽曲を鳴らす音楽鳴動手段２４を有する。
【００１１】
充電量算出手段２２は、基準時点で充電量を予め定められる満充電量と設定し、スピーカー１３が鳴動しているときには音量に対応する放電量を満充電量から減算するとともに図示しない商用電源が生きているときには単位時間当たりの充電量ＴＡｈを加算し、商用電源が停電しているときには自己放電による放電量ＳＡｈを減算する。なお、音量は４つの音量が予め設定されており、小さい方から零レベル、低レベル、中レベル、普通レベルが設定されている。そして、この４つの音量のレベルに対応して４つの放電量が予め決まっている。すなわち、０Ａｈ、Ｂ１Ａｈ、Ｂ２Ａｈ、Ｂ３Ａｈである。
【００１２】
音楽鳴動手段２４は、充電量算出手段２２が算出した充電量に基づいて音量を選択する。例えば、充電量が満充電量の８０％を超えるとき普通レベル、８０％以下６０％を超えるとき中レベル、６０％以下４０％を超えるとき低レベル、４０％以下のとき零レベルに設定する。
また、音楽鳴動手段２４は、エレベータ制御部２３からエレベータの運行データを取得し、取得した運行データに基づいて楽曲をスピーカー１３から流すか否かを判断する。すなわち、エレベータが運行されているときには楽曲記憶部１６に記憶されている楽曲をＢＧＭとして流す。そのときの音量は上述のように充電量に従って選択する。一方、エレベータが停止しているときにはＢＧＭを流さない。
【００１３】
ところで、乗客が緊急連絡しようとしてインターホン子機３の呼出釦１１が押下されたときには、エレベータが運行されているのでＢＧＭが流されているが、ＢＧＭを流すのを中止するとともに、回線をインターホン親機９に接続する。そして、呼出釦１１が押下されたので、インターホン親機９に呼出信号を送信する。
インターホン親機９は、呼出信号により呼出音が鳴らされるので、監視員はエレベータのかご２内の乗客と話すことになる。
【００１４】
次に、基準時点からの充電量の変化の様子を説明する。図３は、基準時点からの充電量の変化を示す図である。
例えば朝５時に乗客が１人エレベータを利用したとすると、基準時点として、そのときの充電量をＦＡｈとする。そして、充電量が８０％を超えているので、普通レベルの音量でＢＧＭが流される。すると、（Ｂ３−Ｔ）Ａｈ×（ＢＧＭの流された時間）ｈだけ充電量が減少する。８時頃から２０時頃まではエレベータが運行されているので、徐々に充電量が減少し、充電量が所定の範囲になる度にＢＧＭの音量を変える。２０時以降はＢＧＭが流される時間帯が短いので、充電量が増加し明け方には満充電に回復する。
【００１５】
図４は、商用電源が停電したときの充電量の変化を示す図である。
上述の例では商用電源が生きているので、バッテリは常に充電されているが、商用電源が停電したときには充電ができないので、ＢＧＭを流さないとともに充電量は自己放電分ＳＡｈだけ減少する。すなわち、１４時から２０時まで商用電源が停電しているので、ＢＧＭを流すと充電が無いので急激に充電量が減少し、満充電量の４０％以下に達する。すると、ＢＧＭを流さないようにするので、自己放電分だけ充電量は減少する。
しかし、充電量は４０％弱に維持されるので、緊急連絡をインターホンを用いて行おうとしても障害がない。
【００１６】
この発明に係るエレベータかご内ＢＧＭ装置１は、バッテリ１７の充電量に従ってＢＧＭの音量を調整することにより、バッテリ１７には緊急連絡を行うときに必要な電力が蓄えられているので、バッテリ１７が放電されてしまっていて緊急連絡が出来ないということが防げる。
また、緊急連絡用に配備されているインターホンを活用してＢＧＭが流されるので、別にＢＧＭ放送用の設備を併設しなくても良く、安価にＢＧＭサービスを提供することができる。
【００１７】
なお、上述の実施の形態ではエレベータが所定の時間に亘って停止しているときにバッテリ１７が満充電状態にあると判断しているが、バッテリ１７の端子電圧を計測して満充電状態を検出しても良い。
また、充電量を４つの領域に区別して音量を可変しているが、領域の数はこれに限るものではない。
【符号の説明】
【００１８】
１  エレベータかご内ＢＧＭ装置、２  エレベータかご、３  インターホン子機、４  監視装置、５  通信網、６  遠隔監視センター、７  楽曲サーバ、８  かご内操作盤、９  インターホン親機、１１  呼出釦、１２  マイクロホン、１３  スピーカー、１５  インターホン制御部、１６  楽曲記憶部、１７  バッテリ、２１  基準時点特定手段、２２  充電量算出手段、２３  エレベータ制御部、２４  音楽鳴動手段。
【図１】
0005393302.tif 000002
【図２】
0005393302.tif 000003
【図３】
0005393302.tif 000004
【図４】
0005393302.tif 000005